Podtech/llm-jp-corpus-v4-ja_patent huggingface dataset:
【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
基体に、テンプレート構造として、窪みを形成すると共に、前記窪みの底面および側壁の一部に親液性領域、前記窪みを取り囲む領域に撥液性領域をそれぞれ形成する工程と、
流動性材料を、前記テンプレート構造に接触させる工程と、
前記流動性材料を前記テンプレート構造に接触させたのち、前記基体と親液性表面を有する親液性部材とを相対的に移動させて、前記窪みの平面形状に対応した前記流動性材料のパターンを形成する工程と
を含むパターン形成方法。
【請求項２】
前記流動性材料を、前記親液性領域を覆うように前記テンプレート構造に接触させたのち、前記基体と前記親液性部材とを相対的に移動させる
請求項１記載のパターン形成方法。
【請求項３】
前記流動性材料のパターンを乾燥または焼成する工程を含む
請求項１記載のパターン形成方法。
【請求項４】
前記窪みを、１ｎｍ以上１０μｍ以下の深さで形成する
請求項１記載のパターン形成方法。
【請求項５】
前記基体と前記親液性部材とを、０．０１ｍｍ／ｓ以上１０００ｍｍ／ｓ以下の速度で相対的に移動させる
請求項１記載のパターン形成方法。
【請求項６】
前記基体と前記親液性部材とを、それらの間隔を０．１μｍ以上１０ｍｍ以下に保つように相対的に移動させる
請求項１記載のパターン形成方法。
【請求項７】
前記基体および前記親液性部材のうちの一方を固定し、他方を移動させることにより、前記基体と前記親液性部材とを相対的に移動させる
請求項１記載のパターン形成方法。
【請求項８】
前記テンプレート構造を形成する工程が、
前記基体として親液性表面を有するものを用い、前記基体の親液性表面に、親液性材料層を形成するステップと、
前記親液性材料層上に、撥液性材料層を形成するステップと、
前記親液性材料層および撥液性材料層に開口部を形成し、前記基体の親液性表面を露出させることにより、前記窪みを形成するステップとを含む
請求項１記載のパターン形成方法。
【請求項９】
前記親液性材料層上に、接着層を形成したのち、前記接着層上に前記撥液性材料層を形成する
請求項８記載のパターン形成方法。
【請求項１０】
前記親液性材料層を金属材料により形成する
請求項８記載のパターン形成方法。
【手続補正２】
【補正対象書類名】明細書
【補正対象項目名】発明の名称
【補正方法】変更
【補正の内容】
【発明の名称】パターン形成方法  
【手続補正３】
【補正対象書類名】明細書
【補正対象項目名】０００１
【補正方法】変更
【補正の内容】
【０００１】
本発明は、電子機器の製造に好適に用いられるパターン形成方法に関する。
【手続補正４】
【補正対象書類名】明細書
【補正対象項目名】００１０
【補正方法】変更
【補正の内容】
【００１０】
本発明はかかる問題点に鑑みてなされたもので、その目的は、高精細なパターンを高精度に形成することができるパターン形成方法を提供することにある。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
本発明のパターン形成方法では、テンプレートとして、窪みの底面および側壁の一部に親液性領域、窪みを取り囲む撥液性領域をそれぞれ有する基体を用いる。このテンプレートに、流動性材料を、例えば流動性材料の塗布あるいは流動性材料中への浸漬により接触させる。こののち、例えば、親液性部材の親水性表面をテンプレートの撥液性領域上の流動性材料と接するように、基体と親液性部材とを相対的に移動させる。これにより、撥液性領域上の流動性材料がほとんど取り除かれる一方で、窪み中の流動性材料は、窪みの側壁全面にはじかれることなく、窪み底面および側壁の一部の親液性領域と接触した状態をとり、窪みの平面形状に対応した流動性材料のパターンが形成される。よって、窪みの形状が高精細であっても、その窪みの形状に対応したパターンを精度よく形成することができる。
【手続補正９】
【補正対象書類名】明細書
【補正対象項目名】００１７
【補正方法】変更
【補正の内容】
【００１７】
本発明のパターン形成方法では、親液性領域を窪みの底面だけでなく側壁の一部にも有するテンプレートを用いる。これにより、親液性領域が窪み底面のみの従来のテンプレート構造を有する基体を用いた場合と比較して、高精細なパターンを高精度に形成することができる。
【手続補正書】
【提出日】平成24年3月19日(2012.3.19)
【手続補正１】
【補正対象書類名】明細書
【補正対象項目名】０００２
【補正方法】変更
【補正の内容】
【０００２】
例えばガス配管のような気体が流れる通路において、老朽した配管から発生する鉄錆や、配管工事中に混入する土砂といったような塵芥を除去するために、気体が流れる通路に目開きが１ｍｍ程度の金属製のストレーナを設け、そこにガス配管内の塵芥を捕集して、気体から塵芥を除去することが一般に行われている（例えば、特許文献１）。
［先行技術文献］
［特許文献］
［特許文献１］特開平１１−３１５９９２号公報（段落［０００３］）
【手続補正２】
【補正対象書類名】明細書
【補正対象項目名】０００３
【補正方法】変更
【補正の内容】
【０００３】
しかしながら、上述したような金属製のストレーナを用いた浄化システムでは、比較的大きい異物しか取り除くことができず、例えばガス配管の場合、比較的微細な塵芥がガス計量器内部のギアに付着して、目詰りを引き起こすという問題がある。特許文献１では、ストレーナに代えて電磁石により配管内を流れる鉄錆を捕集しているが、電磁石では、鉄錆を捕集することはできるが、土砂のような塵芥を除去することはできず、また、装置も大型化する。一方、ガス流量を維持しつつ、微細な塵芥も捕集するために樹脂製のプリーツ型フィルタを用いてろ過すると、圧力損失が大きくなり、フィルタが頻繁に目詰りを起こすので、フィルタの圧力による破損を防止するために、微差圧計によりフィルタの一次側と二次側の微少差圧を常時監視する必要があるうえに、フィルタを通過する気体流量に比べてフィルタ面積を大きくしなければならない。その結果、システムが複雑化・大型化してしまい、システム導入の初期費用が高くなる。また、フィルタが大型で、しかも寿命が短いから頻繁に交換する必要があり、維持管理費用も高くなる。
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
印刷可能な媒体経路に向けてインク滴を射出するように動作する少なくとも１つのインクジェット印字ヘッドと、
印字ヘッドから離間配置され、カットシートの第１の側面が印字ヘッドと対向して射出されたインク滴を受け取る状態で、経路に沿って１つ以上のカットシートを搬送するように動作するカットシート搬送システムと、
経路から離間配置され、印字ヘッドから上流の経路にわたって延出する加湿ゾーンにおいて経路に沿って移動する１枚以上のカットシートの第１の側面の少なくとも一部に向けて水滴又はミストを方向付けるように作動するアウトレットを備えた水分ソースと、
を含む、印刷システム。
【請求項２】
前記加湿ゾーンが、前記カットシート搬送システムから上流の経路にわたって延出する、請求項１に記載の印刷システム。
【請求項３】
前記カットシート搬送システム及び前記水分ソースに動作可能に結合されるコントローラであって、前記搬送システムのシート搬送速度を制御し、カットシートに移送される水分の量を制御する前記コントローラをさらに含む、
請求項１に記載の印刷システム。
【請求項４】
前記水分ソースが、前記経路に沿って移動する前記カットシートの前記第１の側面の一部に向けて水滴又はミストを方向付けるように作動する、
請求項１に記載の印刷システム。
【請求項５】
前記水分ソースが、前記経路に沿って移動する前記カットシートの前記第１の側面の一部に向けて水滴又はミストを方向付けるように作動する、
請求項３に記載の印刷システム。
【請求項６】
前記水分ソースが、前記経路に沿って移動する前記カットシートの前記第１の側面の先端に向けて水滴又はミストを方向付けるように作動する、
請求項５に記載の印刷システム。
【請求項７】
前記水分ソースと前記印刷ヘッドとの間の前記経路から離間配置され、前記加湿ゾーンの下流の経路に沿って移動する前記デカールされた１つ以上のカットシートを少なくとも部分的に乾燥するように動作するドライヤーを更に含む、
請求項１に記載の印刷システム。
【請求項８】
前記水分ソースが、前記経路に沿って移動する前記カットシートの前記第１の側面の先端だけに向けて水滴又はミストを方向付けるように作動する、
請求項１に記載の印刷システム。
【請求項９】
前記加湿ゾーンが、前記カットシート搬送システムのベルトの平坦部を超えて、前記ベルトの一部に重なる、
請求項１に記載の印刷システム。
【請求項１０】
インクジェット印刷用のカットシート印刷媒体をデカールする方法であって、
経路に沿って１つ以上のカットシートを搬送すること、
前記経路にわたって延出する加湿ゾーンにおいて前記１つ以上のカットシートの第１の側面の少なくとも一部に向けて水滴又はミストを方向付けることにより、前記１つ以上のカットシートをデカールすること、及び、
前記デカールしたカットシートを、前記カットシートの前記第１の側面がインクジェット印字ヘッドと対向した状態で、前記インクジェット印字ヘッドを通過搬送させて、前記インクジェット印字ヘッドによって射出されるインク滴を受けとること、
を含む方法。
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
長寸方向と、
前記長寸方向と直交する短寸方向と、
を含む、玉型加工前の眼鏡用プラスチックレンズ。
【請求項２】
請求項１に記載の玉型加工前の眼鏡用プラスチックレンズにおいて、
前記長寸方向の断面における外周面端部は、前記短寸方向の断面における外周面端部よりも厚い、
玉型加工前の眼鏡用プラスチックレンズ。
【請求項３】
請求項１に記載の玉型加工前の眼鏡用プラスチックレンズにおいて、
前記短寸方向の断面における外周面端部は、前記長寸方向の断面における外周面端部よりも厚い、
玉型加工前の眼鏡用プラスチックレンズ。
【請求項４】
長寸部分および短寸部分を有する第1型と、
前記第１型に対向し、長寸部分および短寸部分を有する第２型と、
前記第１型および前記第２型の外周面に巻きつけられるテープと、
を含む、モールド型。
【請求項５】
請求項４に記載のモールド型において、
前記テープは、前記長寸部分の方向に沿った位置に樹脂原料を注入する注入口が形成された、
モールド型。
【請求項６】
請求項４に記載のモールド型において、
前記テープは、前記短寸部分の方向に沿った位置に樹脂原料を注入する注入口が形成された、
モールド型。
【請求項７】
長寸部分および短寸部分を有する第1型と、前記第１型に対向し、長寸部分および短寸部分を有する第２型と、前記第１型および前記第２型の外周面に巻きつけられるテープと、を含むモールド型を保持するモールド型設置部と、
前記モールド型にプラスチックレンズ材料を注入する供給部と、
を含む、プラスチックレンズ成形装置。
【手続補正２】
【補正対象書類名】明細書
【補正対象項目名】発明の名称
【補正方法】変更
【補正の内容】
【発明の名称】玉型加工前の眼鏡用プラスチックレンズ、モールド型、およびプラスチックレンズ成形装置
【手続補正３】
【補正対象書類名】明細書
【補正対象項目名】００１７
【補正方法】変更
【補正の内容】
【００１７】
図２および図３に示すように、本実施形態では、プラスチックレンズＬ０として凹レンズＬ１や凸レンズＬ２を成形することができる。
凹レンズＬ１は、例えば、近視用の眼鏡プラスチックレンズに用いられ、眼鏡用のプラスチックレンズＬ（図１）の長寸方向の外周面端部は短寸断面の外周面端部より肉厚に形成されている。
また、凸レンズＬ２は、例えば、遠視用の眼鏡プラスチックレンズに用いられ、眼鏡用のプラスチックレンズＬ（図１）の短寸方向の外周面端部が長寸断面の外周面端部より肉厚に形成されている。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
所定言語の情報を取得する情報取得部と、
取得した所定言語の情報を、翻訳辞書によって、所定言語と異なる他言語に翻訳する翻訳部と、
他言語に翻訳された情報をコード化して、コード画像を生成するコード画像生成部と、
前記取得した所定言語の情報及び生成された前記コード画像をラベル媒体に印刷する印刷部と、
を備えたことを特徴とするラベルプリンター。
【請求項２】
前記翻訳部は、前記取得した所定言語の情報を、複数の他言語に翻訳し、
前記コード画像生成部は、複数の他言語に翻訳されたぞれぞれの情報をコード化して、複数のコード画像を生成し、
前記印刷部は、前記取得した所定言語の情報と、生成された前記複数のコード画像と、を前記ラベル媒体に印刷する請求項１に記載のラベルプリンター。
【請求項３】
前記印刷部は、生成された前記複数のコード画像を、予め定められた順序で印刷する請求項２に記載のラベルプリンター。
【請求項４】
前記印刷部は、前記複数のコード画像のそれぞれに、異なる背景色を印刷する請求項２または３に記載のラベルプリンター。
【請求項５】
前記印刷部は、前記複数のコード画像のそれぞれに、当該コード画像の近傍に、当該コード画像の他言語を母国語とする国の国旗のイメージを印刷する請求項２ないし４のいずれか１項に記載のラベルプリンター。
【請求項６】
入力された所定言語の情報を、翻訳辞書によって、所定言語と異なる他言語に翻訳させ、
他言語に翻訳された情報をコード化してコード画像を生成させ、
入力された所定言語の情報及び生成された前記コード画像をラベル媒体に印刷させることを特徴とするプログラム。
【請求項７】
所定言語の情報を入力させる情報入力部、入力された所定言語の情報を翻訳辞書によって所定言語と異なる他言語に翻訳する翻訳部、及び他言語に翻訳された情報をコード化してコード画像を生成するコード画像生成部を有する情報処理装置と、
前記入力された所定言語の情報と生成された前記コード画像とをラベル媒体に印刷する印刷部を有するラベルプリンターと、
を備えたことを特徴とするラベルプリントシステム。
【手続補正２】
【補正対象書類名】明細書
【補正対象項目名】０００６
【補正方法】変更
【補正の内容】
【０００６】
本発明のラベルプリンターは、所定言語の情報を取得する情報取得部と、取得した所定言語の情報を、翻訳辞書によって、所定言語と異なる他言語に翻訳する翻訳部と、他言語に翻訳された情報をコード化して、コード画像を生成するコード画像生成部と、取得した所定言語の情報と及び生成されたコード画像をラベル媒体に印刷する印刷部と、を備えたことを特徴とする。
【手続補正３】
【補正対象書類名】明細書
【補正対象項目名】０００７
【補正方法】変更
【補正の内容】
【０００７】
この場合、翻訳部は、取得した所定言語の情報を、複数の他言語に翻訳し、コード画像生成部は、複数の他言語に翻訳されたぞれぞれの情報をコード化して、複数のコード画像を生成し、印刷部は、取得した所定言語の情報と、生成された複数のコード画像と、をラベル媒体に印刷することが好ましい。
【手続補正４】
【補正対象書類名】明細書
【補正対象項目名】０００８
【補正方法】変更
【補正の内容】
【０００８】
本発明のラベルプリントシステムは、所定言語の情報を入力させる情報入力部、入力された所定言語の情報を翻訳辞書によって所定言語と異なる他言語に翻訳する翻訳部と、及び他言語に翻訳された情報をコード化してコード画像を生成するコード画像生成部を有する情報処理装置と、入力された所定言語の情報と生成されたコード画像とをラベル媒体に印刷する印刷部を有するラベルプリンターと、を備えたことを特徴とする。
【手続補正５】
【補正対象書類名】明細書
【補正対象項目名】００１０
【補正方法】変更
【補正の内容】
【００１０】
上記のラベルプリンターにおいて、印刷部は、生成された複数のコード画像を、予め定められた順序で印刷することが好ましい。
【手続補正６】
【補正対象書類名】明細書
【補正対象項目名】００１２
【補正方法】変更
【補正の内容】
【００１２】
この場合、印刷部は、複数のコード画像のそれぞれに、異なる背景色を印刷することが好ましい。
【手続補正７】
【補正対象書類名】明細書
【補正対象項目名】００１４
【補正方法】変更
【補正の内容】
【００１４】
この場合、印刷部は、複数のコード画像のそれぞれに、当該コード画像の近傍に、当該コード画像の他言語を母国語とする国の国旗のイメージを印刷することが好ましい。
【手続補正８】
【補正対象書類名】明細書
【補正対象項目名】００１６
【補正方法】変更
【補正の内容】
【００１６】
本発明のプログラムは、入力された所定言語の情報を、翻訳辞書によって、所定言語と異なる他言語に翻訳させ、他言語に翻訳された情報をコード化してコード画像を生成させ、入力された所定言語の情報及び生成された前記コード画像をラベル媒体に印刷させることを特徴とする。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
コンピュータが読取ることのできるデータ記憶部からプレイヤーのゲーム中の活動を代表する複数の画像を含むデータを取得することと、
前記複数の画像のそれぞれについて、前記画像の重要性の度合いを特徴付ける少なくとも１つのスコアを決定すること、少なくとも前記決定されたスコアに基づいてグラフィック描写で表示される画像セットを前記複数の画像から選択すること、それぞれのサブセットが、前記グラフィック描写の１以上の連続した表示単位のうちの１つのそれぞれに表示されるように前記選択された画像セットを画像のサブセットに分割すること、および前記グラフィック描写の対応する表示単位に表示される画像の前記サブセットのそれぞれについて、前記画像に関連する少なくとも前記決定されたスコアに基づいて視覚的な特徴を決定することを含む、前記取得されたデータに基づいて前記ゲーム中の活動のグラフィック描写を生成することと、を含む、コンピュータで実行される方法。
【請求項２】
前記コンピュータが読取ることのできるデータ記憶部から取得された前記データは、前記複数の画像の記述的情報を含む、請求項１に記載のコンピュータで実行される方法。
【請求項３】
前記複数の画像の前記記述的情報は、１以上のイベントを伴う画像によって描写される前記ゲーム活動の関連性の規定を含む、請求項２に記載のコンピュータで実行される方法。
【請求項４】
それぞれのイベントは、イベントタイプによって特徴付けられ、それぞれのイベントタイプは、シグニフィカンス・スコアに関連する、請求項３に記載のコンピュータで実行される方法。
【請求項５】
前記画像の重要性の度合いを特徴付ける少なくとも１つのスコアを決定することは、
前記記述的情報に基づいて前記画像に関連する１以上のイベントタイプを特定すること、および
前記特定された１以上のイベントタイプの前記シグニフィカンス・スコアの少なくとも一部に基づいて前記画像のスコア計算することを含む、請求項４に記載のコンピュータで実行される方法。
【請求項６】
前記画像の前記スコア計算することは、前記特定された１以上のイベントタイプの前記シグニフィカンス・スコアを合計することを含む、請求項５に記載のコンピュータで実行される方法。
【請求項７】
それぞれのイベントタイプは、所定成分、変動成分、またはその両方によって特徴付けられるシグニフィカンス・スコアに関連する、請求項４に記載のコンピュータで実行される方法。
【請求項８】
前記グラフィック描写で表示される前記画像セットを選択することは、
ユーザ入力に基づいて前記選択されたセットの画像数を決定すること、および
前記決定された画像数を前記画像の前記スコアに応じて選択することを含む、請求項１〜７のいずれか１項に記載のコンピュータで実行される方法。
【請求項９】
前記選択された画像セットを画像のサブセットに分割することは、前記グラフィック描写のそれぞれのサブユニットについて、前記対応する画像のサブセットのレイアウトを決定することを含む、請求項１〜８のいずれか１項に記載のコンピュータで実行される方法。
【請求項１０】
前記画像のサブセットのレイアウトは、前記画像の行または列の位置を含む、請求項９に記載のコンピュータで実行される方法。
【請求項１１】
前記視覚的な特徴を決定することは、前記画像によって描写される前記ゲーム中の活動の少なくとも１つのテキスト記述と画像とを関連付けることを含む、請求項１〜１０のいずれか１項に記載のコンピュータで実行される方法。
【請求項１２】
前記視覚的な特徴を決定することは、前記画像によって描写される前記ゲーム中の活動に基づいた少なくとも１つの音響効果と画像とを関連付けることを含む、請求項１〜１１のいずれか１項に記載のコンピュータで実行される方法。
【請求項１３】
前記画像の視覚的な特徴は、前記画像のサイズを含む、請求項１〜１２のいずれか１項に記載のコンピュータで実行される方法。
【請求項１４】
前記画像の視覚的な特徴は、前記画像の形状を含む、請求項１〜１３のいずれか１項に記載のコンピュータで実行される方法。
【請求項１５】
前記生成された前記ゲーム中の活動のグラフィック描写は、漫画本様式の描写を含む、請求項１〜１４のいずれか１項に記載のコンピュータで実行される方法。
【請求項１６】
前記グラフィック描写のそれぞれの表示ユニットはページを含む、請求項１５に記載のコンピュータで実行される方法。
【請求項１７】
前記ゲーム中の活動の前記グラフィック描写のデータ表現を形成することをさらに含む、請求項１〜１６のいずれか１項に記載のコンピュータで実行される方法。
【請求項１８】
コンピュータが読取ることのできるデータ記憶部からプレイヤーのゲーム中の活動を代表する複数の画像を含むデータを取得する入力データモジュールと、
前記複数の画像のそれぞれについて、前記画像の重要性の度合いを特徴付ける少なくとも１つのスコアを決定すること、少なくとも前記決定されたスコアに基づいてグラフィック描写で表示される画像セットを前記複数の画像から選択すること、それぞれのサブセットが、グラフィック描写の１以上の連続した表示単位のうちの１つのそれぞれに表示されるように前記選択された画像セットを画像のサブセットに分割すること、および前記グラフィック描写の対応する表示単位に表示される前記画像のサブセットのそれぞれについて、前記画像に関連する少なくとも前記決定されたスコアに基づいて視覚的な特徴を決定することを含む、前記取得されたデータに基づいて前記ゲーム中の活動のグラフィック描写を生成するプロセッサと、を含む、システム。
【請求項１９】
画像の選択に関連するユーザ入力を受け取るインターフェースをさらに含む、請求項１８に記載のシステム。
【請求項２０】
前記ユーザ入力は、規定された数の前記グラフィック描写の連続した表示単位を含む、請求項１９に記載のシステム。
【請求項２１】
前記インターフェースは、１以上の画像に対するユーザの編集を受けるためにさらに設定される、請求項１９に記載のシステム。
【請求項２２】
前記ゲーム中の活動の前記生成されたグラフィック描写は、漫画本様式の描写を含む、請求項１８〜２１のいずれか１項に記載のシステム。
【請求項２３】
前記ゲーム中の活動の前記グラフィック描写のデータ表現を形成するための出力モジュールをさらに含む、請求項１８〜２２のいずれか１項に記載のシステム。
【請求項２４】
前記データ表現は、マルチメディア表現を含む、請求項２３に記載のシステム。
【請求項２５】
前記マルチメディア表現は、１つ以上のＪＰＥＧファイル、ＰＮＧファイル、ＧＩＦファイル、ＰＤＦファイル、ＭＰＥＧファイル、およびＦＬＡＳＨファイルを含む、請求項２４に記載のシステム。
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
水素分子透過性を有する容器に封入された生体適用液であって、
前記生体適用液が封入された容器を開封することなく、当該容器に対して当該容器の外側から水素分子を接触させ、前記水素分子透過性を有する容器を通じて、前記水素分子を接触させた後に生体適用液に実質的に含有される溶存水素濃度が気温２０℃・１気圧下のとき０．０１ｍｇ／Ｌ以上となる製造方法に用いられ、
前記容器内のエア又は溶存ガスが除去されていることを特徴とする容器に封入された生体適用液。
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
湿潤時に表面が潤滑性を有する医療用具であって、該医療用具を構成する基材の表面に無水マレンイン酸を一成分とする共重合体とアルコキシアルキルアミンの反応によって生成したアミド結合を有する無水マレイン酸共重合化合物が固定化されていることを特徴とする医療用具
【請求項２】
アルコキシアルキルアミンが一般式  Ｒ１Ｏ−Ｒ２−ＮＨ２で表わされるアミン化合物であって、Ｒ１とＲ２のアルキル基の炭素数の合計が２〜４であることを特徴とする請求項１に記載の医療用具
【請求項３】
基材の表面に、無水マレイン酸を一成分とする共重合体とアルコキシアルキルアミンの反応によって、共重合無水マレイン酸の１０〜１００モル％がアミド結合に変換された化合物を塗布、乾燥後、さらに、アルカリ処理することを特徴とする医療用具の製造方法
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
複数種類の識別情報の可変表示を行い表示結果を導出表示する可変表示手段を備え、前記可変表示手段の前記識別情報の表示結果が予め定められた特定表示結果となったときに、遊技者にとって有利な特定遊技状態に制御し、前記特定遊技状態が終了した後に遊技状態を通常確率状態または前記特定表示結果となる確率が当該通常確率状態よりも高い高確率状態に制御可能な遊技機であって、
前記特定遊技状態には少なくとも、
可変入賞装置を第１の期間遊技者にとって有利な状態に制御し、その後前記高確率状態に移行する第１特定遊技状態と、
前記可変入賞装置を前記第１の期間より短い第２の期間遊技者にとって有利な状態に制御し、その後前記高確率状態に移行する第２特定遊技状態と、
前記可変入賞装置を前記第２の期間遊技者にとって有利な状態に制御し、その後前記通常確率状態に移行する第３特定遊技状態と、があり、
前記特定遊技状態に制御するか否か、及び、前記特定遊技状態に制御するときにいずれの特定遊技状態に制御するかを前記識別情報の表示結果が導出表示される以前に決定する事前決定手段と、
前記第１特定遊技状態の終了後、前記可変表示手段における複数回の可変表示に亘って同じ背景あるいはキャラクタ画像による演出が継続的に実行される特定演出モードに制御する第１演出モード制御手段と、
所定の条件下で前記特定遊技状態に制御された回数をカウントするカウント手段と、
前記特定演出モード中に前記第１特定遊技状態となった場合、当該第１特定遊技状態終了後、前記特定演出モードに制御し、前記特定演出モード中に前記第３特定遊技状態となった場合、当該第３特定遊技状態終了後、前記特定演出モードから、前記高確率状態であるか前記通常確率状態であるかに関わらず共通の演出を実行可能な特殊演出モードに制御し、前記特定演出モード中に前記第２特定遊技状態となった場合、当該第２特定遊技状態終了後、前記カウント手段によりカウントされる回数が所定回数未満であれば前記特定演出モードから前記特殊演出モードに制御し、また、前記カウント手段によりカウントされる回数が所定回数に達していれば前記特定演出モードに制御する第２演出モード制御手段と、を備える
ことを特徴とする遊技機。
【手続補正２】
【補正対象書類名】明細書
【補正対象項目名】０００８
【補正方法】変更
【補正の内容】
【０００８】
上記目的を達成するため、本発明の請求項１に記載の遊技機は、複数種類の識別情報（例えば飾り図柄）の可変表示を行い表示結果を導出表示する可変表示手段（例えば画像表示装置５）を備え、前記可変表示手段の前記識別情報の表示結果が予め定められた特定表示結果（例えば大当り組合せ）となったときに、遊技者にとって有利な特定遊技状態（例えば大当り遊技状態など）に制御し、前記特定遊技状態が終了した後に遊技状態を通常確率状態または前記特定表示結果となる確率が当該通常確率状態（例えば確変状態）よりも高い高確率状態に制御可能な遊技機（例えばパチンコ遊技機１）であって、前記特定遊技状態には少なくとも、可変入賞装置を第１の期間遊技者にとって有利な状態に制御し、その後前記高確率状態に移行する第１特定遊技状態（例えば第１大当りや第２大当りの大当り遊技状態）と、前記可変入賞装置を前記第１の期間より短い第２の期間遊技者にとって有利な状態に制御し、その後前記高確率状態に移行する第２特定遊技状態（例えば第３大当りの大当り遊技状態）と、前記可変入賞装置を前記第２の期間遊技者にとって有利な状態に制御し、その後前記通常確率状態に移行する第３特定遊技状態（例えば第４大当りの大当り遊技状態）と、があり、前記特定遊技状態に制御するか否か、及び、前記特定遊技状態に制御するときにいずれの特定遊技状態に制御するかを前記識別情報の表示結果が導出表示される以前に決定する事前決定手段（例えばＣＰＵ１０３がステップＳ２３８、Ｓ２３９、Ｓ２４３、Ｓ２４５、Ｓ２４６の処理を実行する部分）と、前記第１特定遊技状態の終了後、前記可変表示手段における複数回の可変表示に亘って同じ背景あるいはキャラクタ画像による演出が継続的に実行される特定演出モード（例えばバトルモード）に制御する第１演出モード制御手段（例えば演出制御用ＣＰＵ１２０がステップＳ７２４にてモードフラグに「１」をセットする部分）と、所定の条件下（例えば通常状態において大当りとなり、その後大当り遊技状態を除いて高ベース状態から低ベース状態になるまでの期間）で前記特定遊技状態に制御された回数をカウントするカウント手段（例えば演出制御用ＣＰＵ１２０がステップＳ５０５の処理を実行する部分）と、前記特定演出モード中に前記第１特定遊技状態となった場合、当該第１特定遊技状態終了後、前記特定演出モードに制御し（例えば演出制御用ＣＰＵ１２０がステップＳ７２４にてモードフラグに「１」をセットし）、前記特定演出モード中に前記第３特定遊技状態となった場合、当該第３特定遊技状態終了後、前記特定演出モードから、前記高確率状態であるか前記通常確率状態であるかに関わらず共通の演出を実行可能な特殊演出モードに制御し（例えば演出制御用ＣＰＵ１２０がステップＳ７２４にてモードフラグに「２」をセットし）、前記特定演出モード中に前記第２特定遊技状態となった場合、当該第２特定遊技状態終了後、前記カウント手段によりカウントされる回数が所定回数未満であれば前記特定演出モードから前記特殊演出モードに制御し、また、前記カウント手段によりカウントされる回数が所定回数に達していれば前記特定演出モードに制御する（例えば演出制御用ＣＰＵ１２０がステップＳ７２４にてモードフラグに「１」をセットする）第２演出モード制御手段と、を備える。
このような構成によれば、所定の条件下において特定遊技状態に制御された回数に応じて特殊演出モードに移行される割合を減らすことができ、遊技者の不快感を低減し、遊技の興趣を向上できる。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
第１領域および第２領域に分離された下部金属層、
下部金属層の上部に位置する支持層、
支持層の上部に位置する光反射層、
下部金属層の第１領域の上部に位置する支持層および光反射層の一部を除去した部分であるチップ実装部、および
下部金属層の第１領域が露出された下部金属層部分に実装され、ダイオードの各極が下部金属層の第１領域および第２領域に各々電気的に繋がれた発光ダイオードチップを含む表面実装型発光ダイオードランプ。
【請求項２】
第１領域および第２領域に分離された下部金属層、
下部金属層の上部に位置する支持層、
支持層の上部に位置する光反射層、
下部金属層の第１領域の上部に位置する支持層および光反射層の一部を除去した部分であるチップ実装部、下部金属層の第２領域の上部に位置する支持層および光反射層の一部が除去された第２領域露出部、および支持層および光反射層が除去された部分で下部金属層の第１領域および第２領域が露出され、露出された下部金属層の第１領域部分に実装され、露出された下部金属層の第１領域および第２領域にダイオードの各極が各々電気的に繋がれた発光ダイオードチップを含む表面実装型発光ダイオードランプ。
【請求項３】
請求項１または２の発光ダイオードランプにおいて、
支持層の上部に位置する光反射層は金属層からなるものであり、
第１領域の上部に位置する支持層および金属層の一部、および第２領域の上部に位置する支持層および金属層の一部が各々除去された部分において上記の下部金属層の第１領域および第２領域が露出され、上記の露出された下部金属層の第１領域に実装され、上記の露出された下部金属層の第１領域および第２領域に各々電気的に繋がれた発光ダイオードチップを含む表面実装型発光ダイオードランプ。
【請求項４】
支持層および光反射層の一部が除去された部分が、レーザー穿孔によって形成される事を特徴とする、請求項１〜３のいずれかに記載の、表面実装型発光ダイオードランプ。
【請求項５】
支持層および上部金属層が除去され発光ダイオードチップが実装される領域に、 CuまたはAg等の光反射金属によるメッキで形成された光反射構造が含まれている、請求項１〜４のいずれかに記載の表面実装型発光ダイオードランプ。
【請求項６】
発光ダイオードチップが覆われる光抽出部をさらに含む、請求項１〜５記載の表面実装型発光ダイオードランプ。
【請求項７】
光抽出部は蛍光剤、拡散剤、色素等のチップから放出される光を変換する添加物をさらに含むものである、請求項６記載の表面実装型発光ダイオードランプ。
【請求項８】
支持層および光反射層に剥離防止の契合部がさらに含まれるのを特徴とする、請求項１〜７のいずれかに記載の、表面実装型発光ダイオードランプ。
【請求項９】
支持層の一表面に金属層を設けた基板の、金属層の一部を除去して第１領域と第２領域に分離する段階、
金属層の第１領域の上部に位置する支持層の一部および金属層の第２領域の上部に位置する支持層の一部を各々レーザーで照射して除去し、下部金属層の第１領域および第２領域の一部を露出させる段階、および
露出された下部金属層の第１領域に発光ダイオードチップを実装して、ダイオードの各電極をそれぞれ第１領域および第２領域に電気的に繋ぐ段階を含む、表面実装型発光ダイオードランプを製造する方法。
【請求項１０】
支持層の上部に光反射物質を塗布する段階をさらに含む、請求項９記載の方法。
【請求項１１】
支持層の両面に金属層を設けた基板の、下部金属層の一部を除去して第１領域と第２領域に分離する段階、
第１領域の上部に位置する上部金属層にレーザーマスクを形成する段階、
レーザーマスクで表示された領域の内部にレーザーを照射して支持層を除去し、下部金属層の一部を露出させる段階、 および
上記の露出された下部金属層の第１領域に発光ダイオードチップを実装して、ダイオードの各電極をそれぞれ第１領域および第２領域に電気的に繋ぐ段階を含む、表面実装型発光ダイオードランプを製造する方法。
【請求項１２】
レーザーマスクが、上部金属層の一部をエッチングで除去する事によって形成されるのを特徴とする、請求項１１記載の方法。
【請求項１３】
露出された下部金属層にチップが実装される領域に、反射構造を形成する段階をさらに含む、請求項９〜１１のいずれかに記載の方法。
【手続補正書】
【提出日】平成24年7月3日(2012.7.3)
【手続補正１】
【補正対象書類名】明細書
【補正対象項目名】０００８
【補正方法】変更
【補正の内容】
【０００８】
本発明に係る空気調和機の室外機は、背面外郭を構成する背面部、当該背面部の一方に連設された曲面部及び当該曲面部の一方に連設された側面部を有し、平面視略Ｌ字形状の熱交換器と、熱交換器の曲面部の外側に沿うように立設された曲面部、当該曲面部に連設され熱交換器の側面部の外側に平行に立設された側面部及び当該側面部に連設され熱交換器の背面部に平行に立設された正面部を有する外郭パネルと、を備えた空気調和機の室外機において、外郭パネルの曲面部の背面側の側端部は、熱交換器の曲面部との隙間に指が入らない程度に熱交換器の曲面部に近接して設けられたものである。
【手続補正２】
【補正対象書類名】特許請求の範囲
【補正対象項目名】全文
【補正方法】変更
【補正の内容】
【特許請求の範囲】
【請求項１】
背面外郭を構成する背面部、当該背面部の一方に連設された曲面部及び当該曲面部の一方に連設された側面部を有し、平面視略Ｌ字形状の熱交換器と、
前記熱交換器の曲面部の外側に沿うように立設された曲面部、当該曲面部に連設され前記熱交換器の側面部の外側に平行に立設された側面部及び当該側面部に連設され前記熱交換器の背面部に平行に立設された正面部を有する外郭パネルと、を備えた空気調和機の室外機において、
前記外郭パネルの曲面部の背面側の側端部は、
前記熱交換器の曲面部との隙間に指が入らない程度に前記熱交換器の曲面部に近接して設けられた
ことを特徴とする空気調和機の室外機。
【請求項２】
前記外郭パネルの曲面部の背面側の側端部は、
前記熱交換器の曲面部と前記熱交換器の背面部との境目の近傍まで設けられた
ことを特徴とする請求項１に記載の空気調和機の室外機。
【請求項３】
前記外郭パネルの曲面部の背面側の側端部は、
前記外郭パネルの曲面部の水平断面において、
前記外郭パネルの側面部に向かう方向に折り曲げられた
ことを特徴とする請求項１又は２に記載の空気調和機の室外機。
【請求項４】
前記外郭パネルの側面部には、
鉛直方向に沿って凹部が形成された
ことを特徴とする請求項１又は２に記載の空気調和機の室外機。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
医薬組成物に用いるための粒子の製造方法であって、当該方法が、
０重量％を超え９０重量％までの間の量の抗炎症剤、および、デンプン、ヒドロプロピルセルロース、クロスポビドン、ナトリウムデンプングリコレートおよびクロスカルメロースナトリウムから選択される、少なくとも１０重量％の量のレオロジー改質剤を含む成分組成物と、所定量の水を混合して、ペーストを生成すること；
当該ペーストの少なくとも一部を押出成形して、押出成形物を形成すること；
当該押出成形物の少なくとも一部を球状化して、球状化粒子を形成すること；および
当該球状化粒子の少なくとも一部を乾燥すること
からなり、
前記成分組成物と共に使用される前記所定量の水が、前記成分組成物の１８０重量％〜１９０重量％の間の量で用いられ、それにより８０％〜９８％の間の粒子が、８００μｍ〜１５００μｍの範囲の間の直径を有するような粒子サイズ分布を得る
ことを特徴とする粒子の製造方法。
【請求項２】
前記所定量の水が、前記成分組成物の１８５重量％用いられる、請求項１に記載の方法。
【請求項３】
９０％〜９８％の間の粒子が、８００μｍ〜１５００μｍの範囲の間の直径を有する、請求項１又は２に記載の方法。
【請求項４】
９５％〜９８％の間の粒子が、８００μｍ〜１５００μｍの範囲の間の直径を有する、請求項１〜３のいずれかに記載の方法。
【請求項５】
乾燥粒子を篩にかけて、８００μｍ〜１５００μｍの範囲の間の直径を有する前記粒子を得る、請求項１〜４のいずれかに記載の方法。
【請求項６】
前記抗炎症剤が、メトロニダゾール、プレドニゾロン  メタスルホベンゾエート、又はそれらの薬理学上許容され得る塩から選択される、請求項１〜５のいずれかに記載の方法。
【請求項７】
前記抗炎症剤が、プレドニゾロン又はその薬理学上許容され得る塩である、請求項１に記載の方法。
【請求項８】
前記抗炎症剤が、メトロニダゾール又はその薬理学上許容され得る塩である、請求項１に記載の方法。
【請求項９】
前記抗炎症剤が、パラセタモール又はその薬理学上許容され得る塩である、請求項１に記載の方法。
【請求項１０】
前記抗炎症剤が、前記組成物中に治療上の量で存在する、請求項１〜９のいずれかに記載の方法。
【請求項１１】
前記抗炎症剤が、前記成分組成物の０重量％を超え４０重量％までの間の量で存在する、請求項１〜１０のいずれかに記載の方法。
【請求項１２】
前記抗炎症剤が、前記成分組成物の５重量％を超え２０重量％までの間の量で存在する、請求項１〜１１のいずれかに記載の方法。
【請求項１３】
前記レオロジー改質剤がクロスカルメロースナトリウムを含む、請求項１〜１２のいずれかに記載の方法。
【請求項１４】
前記レオロジー改質剤が、前記成分組成物の１０重量％〜４０重量％の量で存在する、請求項１〜１３のいずれかに記載の方法。
【請求項１５】
前記レオロジー改質剤が、前記成分組成物の２０重量％の量で存在する、請求項１〜１４のいずれかに記載の方法。
【請求項１６】
前記成分組成物が、さらに糖を含む、請求項１〜１５のいずれかに記載の方法。
【請求項１７】
前記糖がラクトース一水和物である、請求項１６に記載の方法。
【請求項１８】
前記糖が、前記成分組成物の３０重量％〜５０重量％の間の量で存在する、請求項１６又は１７に記載の方法。
【請求項１９】
前記糖が、前記成分組成物の３５重量％の量で存在する、請求項１６〜１８のいずれかに記載の方法。
【請求項２０】
前記成分組成物が、さらにセルロースを含む、請求項１〜１９のいずれかに記載の方法。
【請求項２１】
前記セルロースが、微結晶セルロースである、請求項２０に記載の方法。
【請求項２２】
前記セルロースが、前記成分組成物の３５重量％〜４５重量％の量で存在する、請求項２０又は２１に記載の方法。
【請求項２３】
前記セルロースが、前記成分組成物の３０重量％の量で存在する、請求項２０〜２２のいずれかに記載の方法。
【請求項２４】
前記組成物が、プレドニゾロン又はその薬理学上許容され得る塩、前記レオロジー改質剤、糖およびセルロースからなる、請求項１〜６及び１０〜２３のいずれかに記載の方法。
【請求項２５】
前記組成物が、メトロニダゾール又はその薬理学上許容され得る塩、前記レオロジー改質剤、糖およびセルロースからなる、請求項１〜６及び１０〜２３のいずれかに記載の方法。
【請求項２６】
前記組成物が、パラセタモール又はその薬理学上許容され得る塩、前記レオロジー改質剤、糖およびセルロースからなる、請求項１〜６及び１０〜２３のいずれかに記載の方法。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
システムへの過電圧流入を防止してシステムを保護する過電圧保護回路であって、
入力電圧を供給する入力回路と前記システムとの間に配置されスイッチとして機能する半導体トランジスタで構成された第1スイッチ手段と、
前記入力電圧を所定の参照電圧と比較して過電圧の発生を判定するとともに過電圧検出の検出がないときは動作信号を出力するコンパレータと、
前記コンパレータから出力される動作信号をイネーブル信号として起動し、前記第1スイッチ手段のソースゲート間電圧を徐々に拡大させて前記第1スイッチ手段を徐々にオンにするソフトスイッチング制御回路と、を備える
ことを特徴とする過電圧保護回路。
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
少なくとも２つの担持脚（１９、４７）を有する支持枠（１７、４１）と、長手方向に延びる保持碍子（１５、４５）とを含む架空送電線用保持装置（３、３３）であって、
送電線（１１、５１）を受容するための各１つの保持要素（２３、５３）が、前記担持脚の末端に配置されており、
前記保持碍子が、前記支持枠（１７、４１）の前記担持脚（１９、４７）の間に取付けられ、かつ、柱横材（７、３７）に固着するための自由端（１３、４３）を有し、
かつ、前記支持枠（１７、４１）は、前記担持脚（１９、４７）が長手方向で前記保持碍子（１５、４５）の前記自由端を越えて延びているように設定されている
ことを特徴とする架空送電線用保持装置。
【請求項２】
前記担持脚（１９、４７）が、長手方向で互いに平行に整列している
請求項１記載の架空送電線用保持装置。
【請求項３】
前記支持枠（１７、４１）が、Ｕ字形に形成されている
請求項１または２記載の架空送電線用保持装置。
【請求項４】
前記担持脚（１９、４７）の間に、横棒（２１、４９）が取付けられており、
前記横棒には、前記保持碍子（１５、４５）が固着されており、
前記担持脚（１９、４７）が、前記保持碍子（１５、４５）を対称の中心軸として鏡像対称に形成されている
請求項１から３のいずれか１つに記載の架空送電線用保持装置。
【請求項５】
前記支持枠（１７、４１）が、金属からなるものである
請求項１から４のいずれか１つに記載の架空送電線用保持装置。
【請求項６】
前記保持碍子（１５、４５）における前記自由端（１３、４３）と前記支持枠（１７、４１）との間の距離が、空気中で電圧フラッシオーバを防止するのに十分となるように設定されている
請求項１から５のいずれか１つに記載の架空送電線用保持装置。
【請求項７】
前記保持碍子（１５、４５）が、少なくとも３０ｋＶの電位差を絶縁するように形成されている
請求項１から６のいずれか１つに記載の架空送電線用保持装置。
【請求項８】
前記保持碍子（１５、４５）が、直列に接続された多数の個別碍子を有する碍子連として形成されている
請求項１から７のいずれか１つに記載の架空送電線用保持装置。
【請求項９】
保持装置（３、３３）と柱（５、３５）と安定化碍子（９、３９）とを含む架空送電機構（１、３１）であって、
前記保持装置は、少なくとも２つの担持脚（１９、４７）を有する支持枠（１７、４１）と、長手方向に延びる保持碍子（１５、４５）とを備えており、
送電線（１１、５１）を受容するための各１つの保持要素（２３、５３）が、前記担持脚の末端に配置されており、
前記保持碍子は、前記支持枠（１７、４１）の前記担持脚（１９、４７）の間に取付けられ、かつ柱横材（７、３７）に固着するための自由端（１３、４３）を有し、
前記支持枠（１７、４１）は、前記担持脚（１９、４７）が長手方向で前記保持碍子（１５、４５）の前記自由端を越えて延びているように設定されており、
前記柱には、前記柱横材（７、３７）が固着されており、
前記保持碍子（１５、４５）は、前記柱横材（７、３７）と結合されており、
前記安定化碍子（９、３９）は、一端が前記柱（５、３５）と結合されてその柱（５、３５）によって支えられていると共に、他端が前記保持装置（３、３３）を当該安定化碍子（９、３９）の長手方向に対して実質垂直に支える
ことを特徴とする架空送電機構。
【請求項１０】
前記送電線（１１、５１）が、前記柱横材（７、３７）を介して、前記担持脚（１９、４７）の前記保持要素（２３、５３）内で案内されており、
前記保持装置（３、３３）が、前記送電線（１１、５１）を介して、前記安定化碍子（９、３９）によって前記柱（５、３５）で支えられる
請求項９記載の架空送電機構。
【請求項１１】
前記送電線（１１、５１）が、前記担持脚（１９、４７）における前記保持要素（２３、５３）の間で、前記安定化碍子（９、３９）によって支持されている
請求項９または１０のいずれかに記載の架空送電機構（１、３１）。
【請求項１２】
前記保持装置（３、３３）と地面との間に、所定の最小距離が確保されている
請求項９から１１のいずれか１つに記載の架空送電機構。
【請求項１３】
前記担持脚（１９、４７）が、その長手方向で互いに平行に整列している
請求項９から１２のいずれか１つに記載の架空送電機構。
【請求項１４】
前記送電線（１１、５１）と、前記担持脚（１９、４７）とが、前記保持碍子（１５、４５）の前記自由端（１３、４３）に対して同じ最小距離を有する
請求項１０から１３のいずれか１つに記載の架空送電機構。
【請求項１５】
前記支持枠（１７、４１）が、Ｕ字形に形成されている
請求項９から１４のいずれか１つに記載の架空送電機構。
【請求項１６】
前記担持脚（１９、４７）の間に、横棒（２１、４９）が形成されており、
前記横棒に、前記保持碍子（１５、４５）が固着されており、
前記担持脚（１９、４７）が、前記保持碍子（１５、４５）を対称の中心軸として鏡像対称に形成されている
請求項９から１５のいずれか１つに記載の架空送電機構。
【請求項１７】
前記保持碍子（１５、４５）の前記自由端（１３、４３）と前記支持枠（１７、４１）との間の距離が、空気中での電圧フラッシオーバを防止するのに十分となるように設定されている
請求項９から１６のいずれか１つに記載の架空送電機構。
【請求項１８】
前記保持碍子（１５、４５）および前記安定化碍子（９、３９）のうちの少なくともいずれか一方が、少なくとも３０ｋＶの電位差を絶縁するように形成されている
請求項９から１７のいずれか１つに記載の架空送電機構。
【手続補正２】
【補正対象書類名】明細書
【補正対象項目名】００３６
【補正方法】変更
【補正の内容】
【００３６】
第２の課題は、本発明に係る請求項９に記載の架空送電機構によって解決される。